(57)【要約】【課題】透析システムに用いる透析液貯留容器の容量を従来よりも小さくすることが可能な透析システムのプライミング方法を提供する。【解決手段】動脈側回路プライミング工程と、透析液貯留工程と、静脈側回路プライミング工程とを含む透析システムのプライミング方法。動脈側回路プライミング工程においては、透析液流路２０に供給された透析液を透析膜によって逆ろ過して動脈側回路３０に送液する。透析液貯留工程においては、透析液流路２０に供給された透析液を透析膜によって逆ろ過して透析液貯留容器７０に貯留させる。静脈側回路プライミング工程においては、第１閉塞手段９０によって動脈側回路３０を閉塞し、第２閉塞手段９２によって静脈側回路４０を開放し、第３閉塞手段９４によって分岐回路６０を閉塞した状態で、透析液流路２０に供給された透析液を透析膜によって逆ろ過して静脈側回路４０に送液する。【選択図】図７
2011182992.tif 000002
【特許請求の範囲】
【請求項１】
透析膜（１２）によって内部が血液流路（１４）と透析液流路（２０）に区画されるとともに、前記血液流路（１４）の一端に通じる血液流入部（１６）、前記血液流路（１４）の他端に通じる血液流出部（１８）、前記透析液流路（２０）の一端に通じる透析液流入部（２２）及び前記透析液流路（２０）の他端に通じる透析液流出部（２４）を有する透析器（１０）と、
前記血液流入部（１６）に接続される動脈側回路（３０）と、
前記血液流出部（１８）に接続される静脈側回路（４０）と、
前記透析液流入部（２２）を介して前記透析液流路（２０）に透析液を供給する透析装置（１００）と、
前記動脈側回路（３０）の途中に分岐回路（６０）を介して接続され、透析液を貯留可能な透析液貯留容器（７０）と、
前記動脈側回路（３０）のうち前記分岐回路（６０）との接続位置よりも前記透析器（１０）とは反対側の部分を閉塞・開放可能な第１閉塞手段（９０）と、
前記静脈側回路（４０）の一部を閉塞・開放可能な第２閉塞手段（９２）と、
前記分岐回路（６０）の一部を閉塞・開放可能な第３閉塞手段（９４）とを備える透析システム（１）をプライミング処理するためのプライミング方法であって、
前記第１閉塞手段（９０）によって前記動脈側回路（３０）を開放し、前記第２閉塞手段（９２）によって前記静脈側回路（４０）を閉塞し、前記第３閉塞手段（９４）によって前記分岐回路（６０）を閉塞した状態で、前記透析液流路（２０）に供給された前記透析液を前記透析膜（１２）によって逆ろ過し、前記血液流路（１４）を経由させて前記動脈側回路（３０）に送液する動脈側回路プライミング工程と、
前記動脈側回路プライミング工程を行った後に、前記第１閉塞手段（９０）によって前記動脈側回路（３０）を閉塞し、前記第２閉塞手段（９２）によって前記静脈側回路（４０）を閉塞し、前記第３閉塞手段（９４）によって前記分岐回路（６０）を開放した状態で、前記透析液流路（２０）に供給された前記透析液を前記透析膜（１２）によって逆ろ過し、前記血液流路（１４）、前記動脈側回路（３０）及び前記分岐回路（６０）を経由させて前記透析液貯留容器（７０）に貯留させる透析液貯留工程と、
前記動脈側回路プライミング工程を行う前か、前記動脈側回路プライミング工程を行ってから前記透析液貯留工程を行うまでの間か、又は前記透析液貯留工程を行った後に、前記第１閉塞手段（９０）によって前記動脈側回路（３０）を閉塞し、前記第２閉塞手段（９２）によって前記静脈側回路（４０）を開放し、前記第３閉塞手段（９４）によって前記分岐回路（６０）を閉塞した状態で、前記透析液流路（２０）に供給された前記透析液を前記透析膜（１２）によって逆ろ過し、前記血液流路（１４）を経由させて前記静脈側回路（４０）に送液する静脈側回路プライミング工程とを含むことを特徴とする透析システムのプライミング方法。
【請求項２】
請求項１に記載の透析システムのプライミング方法において、
前記動脈側回路プライミング工程、前記透析液貯留工程及び前記静脈側回路プライミング工程のいずれを行うよりも前に、前記第１閉塞手段（９０）によって前記動脈側回路（３０）を閉塞し、前記第２閉塞手段（９２）によって前記静脈側回路（４０）を閉塞し、前記第３閉塞手段（９４）によって前記分岐回路（６０）を閉塞した状態で、前記透析液流路（２０）に供給された前記透析液を前記透析膜（１２）によって逆ろ過し、前記血液流路（１４）をプライミング処理する透析器プライミング工程をさらに含むことを特徴とする透析システムのプライミング方法。
【請求項３】
人工透析を行うための透析システム（１）に用いる透析装置であって、
前記透析システム（１）は、
透析膜（１２）によって内部が血液流路（１４）と透析液流路（２０）に区画されるとともに、前記血液流路（１４）の一端に通じる血液流入部（１６）、前記血液流路（１４）の他端に通じる血液流出部（１８）、前記透析液流路（２０）の一端に通じる透析液流入部（２２）及び前記透析液流路（２０）の他端に通じる透析液流出部（２４）を有する透析器（１０）と、
前記血液流入部（１６）に接続される動脈側回路（３０）と、
前記血液流出部（１８）に接続される静脈側回路（４０）と、
前記透析液流入部（２２）を介して前記透析液流路（２０）に透析液を供給する前記透析装置（１００）と、
前記動脈側回路（３０）の途中に分岐回路（６０）を介して接続され、透析液を貯留可能な透析液貯留容器（７０）と、
前記動脈側回路（３０）のうち前記分岐回路（６０）との接続位置よりも前記透析器（１０）とは反対側の部分を電動で閉塞・開放可能に構成された第１閉塞手段（９０）と、
前記静脈側回路（４０）の一部を電動で閉塞・開放可能に構成された第２閉塞手段（９２）と、
前記分岐回路（６０）の一部を電動で閉塞・開放可能に構成された第３閉塞手段（９４）とを備えるシステムであり、
前記透析装置（１００）は、
前記第１閉塞手段（９０）を制御して前記動脈側回路（３０）を開放し、前記第２閉塞手段（９２）を制御して前記静脈側回路（４０）を閉塞し、前記第３閉塞手段（９４）を制御して前記分岐回路（６０）を閉塞した状態で、前記透析液流路（２０）に供給された透析液が前記透析膜（１２）によって逆ろ過される圧力で、前記透析液流路（２０）に透析液を供給する第１機能と、
前記第１機能が発揮された後に、前記第１閉塞手段（９０）を制御して前記動脈側回路（３０）を閉塞し、前記第２閉塞手段（９２）を制御して前記静脈側回路（４０）を閉塞し、前記第３閉塞手段（９４）を制御して前記分岐回路（６０）を開放した状態で、前記透析液流路（２０）に供給された透析液が前記透析膜（１２）によって逆ろ過される圧力で、前記透析液流路（２０）に透析液を供給する第２機能と、
前記第１機能が発揮される前か、前記第１機能が発揮されてから前記第２機能が発揮されるまでの間か、又は前記第２機能が発揮された後に、前記第１閉塞手段（９０）によって前記動脈側回路（３０）を閉塞し、前記第２閉塞手段（９２）によって前記静脈側回路（４０）を開放し、前記第３閉塞手段（９４）によって前記分岐回路（６０）を閉塞した状態で、前記透析液流路（２０）に供給された透析液が前記透析膜（１２）によって逆ろ過される圧力で、前記透析液流路（２０）に透析液を供給する第３機能とを有することを特徴とする透析装置（１００）。
【請求項４】
請求項３に記載の透析装置において、
前記第１〜第３機能が発揮される前に、前記第１閉塞手段（９０）によって前記動脈側回路（３０）を閉塞し、前記第２閉塞手段（９２）によって前記静脈側回路（４０）を閉塞し、前記第３閉塞手段（９４）によって前記分岐回路（６０）を閉塞した状態で、前記透析液流路（２０）に供給された透析液が前記透析膜（１２）によって逆ろ過される圧力で、前記透析液流路（２０）に透析液を供給する第４機能をさらに有することを特徴とする透析装置（１００）。
【発明の詳細な説明】
【技術分野】
【０００１】
本発明は、透析システムのプライミング方法及び透析装置に関する。
【背景技術】
【０００２】
人工透析に用いられる透析器（ダイアライザーともいう）や当該透析器に接続される動脈側回路等の回路部材は、通常、使用するごとに透析器及び回路部材内にプライミング液（例えば生理食塩水）を導入・充填し、透析器及び回路部材内の異物及び空気を除去する処理（いわゆるプライミング処理）を行っている。
【０００３】
このような透析器及び回路部材を備える透析システムをプライミング処理する方法として、従来、生理食塩水ではなく透析液を用いて透析器及び回路部材のプライミング処理を行う透析システムのプライミング方法が知られている（例えば、特許文献１参照。）。
【０００４】
図１１は、従来の透析システムのプライミング方法を説明するために示す図である。
【０００５】
プライミング処理を行う対象となる透析システム９は、図１１に示すように、透析膜９１２によって内部が血液流路９１４と透析液流路９２０に区画された透析器９１０と、血液流入部９１６に接続される動脈側回路９３０と、血液流出部９１８に接続される静脈側回路９４０と、血液ポンプ（図示せず。）と、動脈側回路９３０の途中に分岐回路９６０を介して接続され、透析液を貯留可能な透析液貯留容器９７０と、動脈側回路９３０のうち分岐回路９６０との接続位置よりも透析器９１０とは反対側の部分を閉塞・開放可能な動脈側回路閉塞手段としての鉗子９９０と、静脈側回路９４０の一部を閉塞・開放可能な静脈側回路閉塞手段としての鉗子９９２と、透析液流入部９２２を介して透析液流路９２０に透析液を供給する透析装置９００とを少なくとも備える。
【０００６】
従来の透析システムのプライミング方法においては、透析装置９００から透析液流路９２０に供給された透析液を透析膜９１２によって逆ろ過し、当該逆ろ過された透析液を透析器９１０及び回路部材（動脈側回路９３０及び静脈側回路９４０）のプライミング液として用いている。なお、静脈側回路９４０のプライミング処理を行うにあたっては、逆ろ過された透析液を透析液貯留容器９７０に貯留し、当該透析液貯留容器９７０に貯留された透析液を分岐回路９６０、動脈側回路９３０及び血液流路９１４を経由させて静脈側回路９４０に送液することにより、静脈側回路９４０をプライミングしている。
【０００７】
従来の透析システムのプライミング方法によれば、生理食塩水ではなく透析液を用いて透析器及び回路部材のプライミング処理を行うことができるため、多量の生理食塩水を使用しなくても済むようになる。
【先行技術文献】
【特許文献】
【０００８】
【特許文献１】特許第３３０２５２０号公報
【発明の概要】
【発明が解決しようとする課題】
【０００９】
しかしながら、従来の透析システムのプライミング方法においては、透析液貯留容器の容量が比較的大きくなってしまう（例えば２リットル程度）。透析液貯留容器が例えばプラスチック製バッグの場合、バッグを懸架台のフックに吊り下げて用いた際、バッグの容量が大きくなるとそれだけ重量も重くなることから、バッグの吊下げ部（フックに通す孔の周辺部）が破損してしまいかねない。
このような不具合を解消するには、透析システムに用いる透析液貯留容器の容量をなるべく小さくすることが効果的である。
【００１０】
そこで、本発明は、このような事情に鑑みてなされたもので、透析システムに用いる透析液貯留容器の容量を従来よりも小さくすることが可能な透析システムのプライミング方法及び透析装置を提供することを目的とする。
【課題を解決するための手段】
【００１１】
［１］本発明の発明者らは、上記目的を達成するために研究を重ねる中で、静脈側回路をプライミング処理する工程（静脈側回路プライミング工程）に着目した。
従来の透析システムのプライミング方法においては、透析液貯留容器に貯留された透析液を、分岐回路、動脈側回路及び透析器の血液流路を経由させて静脈側回路に送液することにより、静脈側回路をプライミングしていた。このように分岐回路に接続された貯留容器のプライミング液を用いて静脈側回路をプライミングする手法は、プライミング液として生理食塩水を用いていたときの既成概念に基づくものである。
本発明者らは、従来の既成概念にとらわれることなく自由な発想のもとで鋭意研究を重ねた結果、静脈側回路プライミング工程において、透析液貯留容器に貯留された透析液を用いるのではなく、透析膜で逆ろ過した透析液をそのまま静脈側回路のプライミング液として用いれば、今まで静脈側回路をプライミングするために透析液貯留容器に貯留しなければならなかった分の透析液を貯留しなくても済むようになり、結果として、透析液貯留容器の容量を従来よりも小さくすることが可能となることに想到し、本発明を完成させるに至った。
【００１２】
すなわち、本発明の透析システムのプライミング方法は、
透析膜（１２）によって内部が血液流路（１４）と透析液流路（２０）に区画されるとともに、前記血液流路（１４）の一端に通じる血液流入部（１６）、前記血液流路（１４）の他端に通じる血液流出部（１８）、前記透析液流路（２０）の一端に通じる透析液流入部（２２）及び前記透析液流路（２０）の他端に通じる透析液流出部（２４）を有する透析器（１０）と、
前記血液流入部（１６）に接続される動脈側回路（３０）と、
前記血液流出部（１８）に接続される静脈側回路（４０）と、
前記透析液流入部（２２）を介して前記透析液流路（２０）に透析液を供給する透析装置（１００）と、
前記動脈側回路（３０）の途中に分岐回路（６０）を介して接続され、透析液を貯留可能な透析液貯留容器（７０）と、
前記動脈側回路（３０）のうち前記分岐回路（６０）との接続位置よりも前記透析器（１０）とは反対側の部分を閉塞・開放可能な第１閉塞手段（９０）と、
前記静脈側回路（４０）の一部を閉塞・開放可能な第２閉塞手段（９２）と、
前記分岐回路（６０）の一部を閉塞・開放可能な第３閉塞手段（９４）とを備える透析システム（１）をプライミング処理するためのプライミング方法であって、
前記第１閉塞手段（９０）によって前記動脈側回路（３０）を開放し、前記第２閉塞手段（９２）によって前記静脈側回路（４０）を閉塞し、前記第３閉塞手段（９４）によって前記分岐回路（６０）を閉塞した状態で、前記透析液流路（２０）に供給された前記透析液を前記透析膜（１２）によって逆ろ過し、前記血液流路（１４）を経由させて前記動脈側回路（３０）に送液する動脈側回路プライミング工程と、
前記動脈側回路プライミング工程を行った後に、前記第１閉塞手段（９０）によって前記動脈側回路（３０）を閉塞し、前記第２閉塞手段（９２）によって前記静脈側回路（４０）を閉塞し、前記第３閉塞手段（９４）によって前記分岐回路（６０）を開放した状態で、前記透析液流路（２０）に供給された前記透析液を前記透析膜（１２）によって逆ろ過し、前記血液流路（１４）、前記動脈側回路（３０）及び前記分岐回路（６０）を経由させて前記透析液貯留容器（７０）に貯留させる透析液貯留工程と、
前記動脈側回路プライミング工程を行う前か、前記動脈側回路プライミング工程を行ってから前記透析液貯留工程を行うまでの間か、又は前記透析液貯留工程を行った後に、前記第１閉塞手段（９０）によって前記動脈側回路（３０）を閉塞し、前記第２閉塞手段（９２）によって前記静脈側回路（４０）を開放し、前記第３閉塞手段（９４）によって前記分岐回路（６０）を閉塞した状態で、前記透析液流路（２０）に供給された前記透析液を前記透析膜（１２）によって逆ろ過し、前記血液流路（１４）を経由させて前記静脈側回路（４０）に送液する静脈側回路プライミング工程とを含むことを特徴とする。
【００１３】
このため、本発明の透析システムのプライミング方法によれば、動脈側回路プライミング工程において、静脈側回路の一部と分岐回路の一部を閉塞した状態で、透析膜で逆ろ過した透析液を動脈側回路に送液しているため、動脈側回路を確実にプライミングすることが可能となる。
また、動脈側回路プライミング工程を行った後に透析液貯留工程を行うこととしているため、プライミング処理済の動脈側回路の一部を経由させて、透析膜で逆ろ過した透析液を透析液貯留容器に貯留させることが可能となる。
また、静脈側回路プライミング工程において、動脈側回路の一部と分岐回路の一部を閉塞した状態で、透析膜で逆ろ過した透析液を静脈側回路に送液している。つまり、透析液貯留容器に貯留された透析液を用いるのではなく、透析膜で逆ろ過した透析液をそのまま静脈側回路のプライミング液として用いているため、今まで静脈側回路をプライミングするために透析液貯留容器に貯留しなければならなかった分の透析液を貯留しなくても済むようになり、結果として、透析液貯留容器の容量を従来よりも小さくすることが可能となる。
したがって、本発明の透析システムのプライミング方法は、透析システムに用いる透析液貯留容器の容量を従来よりも小さくすることが可能な方法となる。
【００１４】
［２］本発明の透析システムのプライミング方法においては、
前記動脈側回路プライミング工程、前記透析液貯留工程及び前記静脈側回路プライミング工程のいずれを行うよりも前に、前記第１閉塞手段（９０）によって前記動脈側回路（３０）を閉塞し、前記第２閉塞手段（９２）によって前記静脈側回路（４０）を閉塞し、前記第３閉塞手段（９４）によって前記分岐回路（６０）を閉塞した状態で、前記透析液流路（２０）に供給された前記透析液を前記透析膜（１２）によって逆ろ過し、前記血液流路（１４）をプライミング処理する透析器プライミング工程をさらに含むことが好ましい。
【００１５】
上記［１］に記載したプライミング方法であっても、動脈側回路プライミング工程を行う過程で血液流路が透析液で満たされることから透析器のプライミング処理は行われるが、上記のような方法とすることにより、透析器をより確実にプライミング処理することが可能となる。
【００１６】
［３］本発明の透析装置（１００）は、人工透析を行うための透析システム（１）に用いる透析装置であって、
前記透析システム（１）は、
透析膜（１２）によって内部が血液流路（１４）と透析液流路（２０）に区画されるとともに、前記血液流路（１４）の一端に通じる血液流入部（１６）、前記血液流路（１４）の他端に通じる血液流出部（１８）、前記透析液流路（２０）の一端に通じる透析液流入部（２２）及び前記透析液流路（２０）の他端に通じる透析液流出部（２４）を有する透析器（１０）と、
前記血液流入部（１６）に接続される動脈側回路（３０）と、
前記血液流出部（１８）に接続される静脈側回路（４０）と、
前記透析液流入部（２２）を介して前記透析液流路（２０）に透析液を供給する前記透析装置（１００）と、
前記動脈側回路（３０）の途中に分岐回路（６０）を介して接続され、透析液を貯留可能な透析液貯留容器（７０）と、
前記動脈側回路（３０）のうち前記分岐回路（６０）との接続位置よりも前記透析器（１０）とは反対側の部分を電動で閉塞・開放可能に構成された第１閉塞手段（９０）と、
前記静脈側回路（４０）の一部を電動で閉塞・開放可能に構成された第２閉塞手段（９２）と、
前記分岐回路（６０）の一部を電動で閉塞・開放可能に構成された第３閉塞手段（９４）とを備えるシステムであり、
前記透析装置（１００）は、
前記第１閉塞手段（９０）を制御して前記動脈側回路（３０）を開放し、前記第２閉塞手段（９２）を制御して前記静脈側回路（４０）を閉塞し、前記第３閉塞手段（９４）を制御して前記分岐回路（６０）を閉塞した状態で、前記透析液流路（２０）に供給された透析液が前記透析膜（１２）によって逆ろ過される圧力で、前記透析液流路（２０）に透析液を供給する第１機能と、
前記第１機能が発揮された後に、前記第１閉塞手段（９０）を制御して前記動脈側回路（３０）を閉塞し、前記第２閉塞手段（９２）を制御して前記静脈側回路（４０）を閉塞し、前記第３閉塞手段（９４）を制御して前記分岐回路（６０）を開放した状態で、前記透析液流路（２０）に供給された透析液が前記透析膜（１２）によって逆ろ過される圧力で、前記透析液流路（２０）に透析液を供給する第２機能と、
前記第１機能が発揮される前か、前記第１機能が発揮されてから前記第２機能が発揮されるまでの間か、又は前記第２機能が発揮された後に、前記第１閉塞手段（９０）によって前記動脈側回路（３０）を閉塞し、前記第２閉塞手段（９２）によって前記静脈側回路（４０）を開放し、前記第３閉塞手段（９４）によって前記分岐回路（６０）を閉塞した状態で、前記透析液流路（２０）に供給された透析液が前記透析膜（１２）によって逆ろ過される圧力で、前記透析液流路（２０）に透析液を供給する第３機能とを有することを特徴とする。
【００１７】
このため、本発明の透析装置によれば、上記した第１機能を有するため、動脈側回路を確実にプライミングすることが可能となる。
また、上記した第２機能を有するため、プライミング処理済の動脈側回路の一部を経由させて、透析膜で逆ろ過した透析液を透析液貯留容器に貯留させることが可能となる。
また、上記した第３機能を有するため、上記［１］に記載した理由と同様の理由により、透析液貯留容器の容量を従来よりも小さくすることが可能となる。
したがって、本発明の透析装置は、透析システムに用いる透析液貯留容器の容量を従来よりも小さくすることが可能な透析装置となる。
【００１８】
［４］本発明の透析装置（１００）においては、
前記第１〜第３機能が発揮される前に、前記第１閉塞手段（９０）によって前記動脈側回路（３０）を閉塞し、前記第２閉塞手段（９２）によって前記静脈側回路（４０）を閉塞し、前記第３閉塞手段（９４）によって前記分岐回路（６０）を閉塞した状態で、前記透析液流路（２０）に供給された透析液が前記透析膜（１２）によって逆ろ過される圧力で、前記透析液流路（２０）に透析液を供給する第４機能をさらに有することが好ましい。
【００１９】
上記［１］に記載した透析装置であっても、第１機能が発揮された過程で血液流路が透析液で満たされることから透析器のプライミング処理は行われるが、上記のように構成することにより、透析器をより確実にプライミング処理することが可能となる。
【００２０】
なお、特許請求の範囲及び本欄（課題を解決するための手段の欄）に記載した各部材等の文言下に括弧をもって付加された符号は、特許請求の範囲及び本欄に記載された内容の理解を容易にするために用いられたものであって、特許請求の範囲及び本欄に記載された内容を限定するものではない。
【図面の簡単な説明】
【００２１】
【図１】透析システム１を説明するために示す図。
【図２】透析器１０を説明するために示す図。
【図３】透析装置１００の電気的構成を示すブロック図。
【図４】透析装置１００の第４機能を説明するために示す図。
【図５】透析装置１００の第１機能を説明するために示す図。
【図６】透析装置１００の第２機能を説明するために示す図。
【図７】透析装置１００の第３機能を説明するために示す図。
【図８】実施形態に係る透析システムのプライミング方法を説明するために示すフローチャート。
【図９】変形例１に係る透析システムのプライミング方法を説明するために示すフローチャート。
【図１０】変形例２に係る透析システムのプライミング方法を説明するために示すフローチャート。
【図１１】従来の透析システムのプライミング方法を説明するために示す図。
【発明を実施するための形態】
【００２２】
以下、本発明の透析システムのプライミング方法及び透析装置について、図に示す実施の形態に基づいて説明する。
【００２３】
［実施形態］
まず、プライミング処理を行う対象となる透析システム１の構成について、図１及び図２を用いて詳細に説明する。
図１は、透析システム１を説明するために示す図である。
図２は、透析器１０を説明するために示す図である。図２（ａ）は透析器１０の構成を説明するために示す図であり、図２（ｂ）は透析器１０の内部構造を示す概念図である。なお、図２（ｂ）においては、発明の理解を容易にするため、本来は透析器１０内に複数配置されている透析膜１２のうち、１つの透析膜１２のみを模式的に図示している。
図３は、透析装置１００の電気的構成を示すブロック図である。
【００２４】
透析システム１は、図１に示すように、透析器１０と、血液流入部１６に接続される動脈側回路３０と、血液流出部１８に接続される静脈側回路４０と、血液ポンプ５０と、動脈側回路３０の途中に分岐回路６０を介して接続され、透析液を貯留可能な透析液貯留容器７０と、透析装置１００と透析器１０をつなぐ透析液導入チューブ８０及び透析液排出チューブ８２と、動脈側回路３０のうち分岐回路６０との接続位置よりも透析器１０とは反対側の部分を閉塞・開放可能な第１閉塞手段９０と、静脈側回路４０の一部を閉塞・開放可能な第２閉塞手段９２と、分岐回路６０の一部を閉塞・開放可能な第３閉塞手段９４と、透析液排出チューブ８２の一部を閉塞・開放可能な第４閉塞手段９６と、透析液流入部２２を介して透析液流路２０に透析液を供給する透析装置１００とを備える。
【００２５】
透析器１０は、図２に示すように、筒状のハウジング部１１と、ハウジング部１１の内部に配置された透析膜１２と、ハウジング部１１の一方端部に設けられた血液流入部１６と、ハウジング部１１の他方端部に設けられた血液流入部１８と、ハウジング部１１の側面のうち血液流出部１８寄りの位置に設けられた透析液流入部２２と、ハウジング部１１の側面のうち血液流入部１６寄りの位置に設けられた透析液流出部２４とを有する。
透析膜１２は、例えば中空糸膜からなる。図示による説明は省略するが、ハウジング部１１の内部には、ハウジング部１１の長手方向に沿って複数の透析膜１２が延在配置されている。
透析器１０の内部は、図２（ｂ）に示すように、透析膜１２によって血液流路１４と透析液流路２０に区画されている。すなわち、透析膜１２の内側が血液流路１４となり、透析膜１２の外側が透析液流路２０となる。血液流入部１６及び血液流出部１８は血液流路１４に通じており、透析液流入部２２及び透析液流出部２４は透析液流路２０に通じている。透析器１０は、人工透析時において血液流路１４の流れる向き（図２（ｂ）の黒矢印方向）と透析液流路２０の流れる向き（図２（ｂ）の白抜き矢印方向）とが逆方向となるように（すなわち対向流となるように）構成されている。
【００２６】
動脈側回路３０の途中には、図１に示すように、エアトラップ３２と、ローリングチューブ部３４とが設けられている。なお、図１には記載していないが、動脈側回路３０の途中には、ヘパリン液を回路内に導入するためのヘパリンラインが接続されている。
【００２７】
静脈側回路４０の途中には、エアトラップ４２と、気泡検知器４６とが設けられている。エアトラップ４２には、静脈圧センサ４４が接続されている。
【００２８】
血液ポンプ５０は、いわゆるローラーポンプである。図示による説明は省略するが、血液ポンプ５０のローラ部が動脈側回路３０のローリングチューブ部３４と接触した状態で回転する（ローリングチューブ部３４を扱く）ことにより、回路内の液体（例えば透析液）を所定の方向に送液することができる。
【００２９】
分岐回路６０は、動脈側回路３０の途中に分岐コネクタ（図示せず。）を介して接続されている。
【００３０】
透析液貯留容器７０は、例えばプラスチック製の貯留バッグである。透析液貯留容器７０のバッグ容量は、例えば３００ｍＬ〜５００ｍＬ程度である。
【００３１】
透析装置１００に接続された透析液導入チューブ８０は、透析器１０の透析液流入部２２に接続されている。一方、透析液排出チューブ８２は、透析器１０の透析液流出部２４に接続されている。透析液導入チューブ８０を介して透析装置１００から透析器１０へと透析液が供給され、透析液排出チューブ８２を介して透析器１０から透析装置１００へと透析液が排出される。
【００３２】
第１〜第４閉塞手段９０〜９６は、各回路の一部を挟むように設けられた電動のクランプ部材である。第１〜第４閉塞手段９０〜９６のそれぞれは、透析装置１００と電気的に接続されており、後述する透析装置１００の閉塞手段制御部１１６からの指示によって各回路の一部を電動で閉塞・開放可能に構成されている。
【００３３】
第１〜第４閉塞手段９０〜９６及び血液ポンプ５０は、透析装置１００に一体形成されている。すなわち、透析装置１００の筐体外面に第１〜第４閉塞手段９０〜９６及び血液ポンプ５０が配設されている。
【００３４】
透析装置１００は、図３に示すように、透析装置１００内の各部に電力を供給するための電源部１０２と、透析装置１００の筐体外面に配置され、操作者からの入力を受け付ける操作部１０４と、透析装置１００の筐体外面に配置され、透析液の温度情報や静脈圧センサ４４によって測定された静脈圧情報等の各種情報を表示する表示部１０６と、使用される透析器の性能データ等を記憶する記憶部１０８と、透析液を加温するヒータ１１０と、ヒータ１１０の温度調節を制御するヒータ制御部１１２と、血液ポンプ５０の駆動を制御するポンプ駆動制御部１１４と、第１〜第４閉塞手段９０〜９６の動作（開放動作・閉塞動作）を制御する閉塞手段制御部１１６と、透析装置１００内の各部を統括制御する主制御部１２０とを備える。
【００３５】
操作部１０４及び表示部１０６は、例えば、操作部分と表示部分とが一体化されたタッチパネル式ディスプレイであってもよい。
【００３６】
次に、透析装置１００（透析装置１００の主制御部１２０）が有する機能について、図４〜図７を用いて詳細に説明する。
図４は、透析装置１００の第４機能を説明するために示す図である。
図５は、透析装置１００の第１機能を説明するために示す図である。
図６は、透析装置１００の第２機能を説明するために示す図である。
図７は、透析装置１００の第３機能を説明するために示す図である。
なお、図４〜図７において、透析装置１００からの透析液の流れを灰色矢印で示している。
【００３７】
透析装置１００（主制御部１２０）は、次に説明する第１〜第４機能を少なくとも有する。
【００３８】
第１機能とは、図５に示すように、第１閉塞手段９０を制御して動脈側回路３０を開放し、第２閉塞手段９２を制御して静脈側回路４０を閉塞し、第３閉塞手段９４を制御して分岐回路６０を閉塞し、さらに第４閉塞手段９６を制御して透析液排出チューブ８２を閉塞した状態で、透析液流路２０に供給された透析液が透析膜１２によって逆ろ過される圧力で、透析液流路２０に透析液を供給する機能である。
【００３９】
第２機能とは、図６に示すように、第１閉塞手段９０を制御して動脈側回路３０を閉塞し、第２閉塞手段９２を制御して静脈側回路４０を閉塞し、第３閉塞手段９４を制御して分岐回路６０を開放し、さらに第４閉塞手段９６を制御して透析液排出チューブ８２を閉塞した状態で、透析液流路２０に供給された透析液が透析膜１２によって逆ろ過される圧力で、透析液流路２０に透析液を供給する機能である。透析装置１００の主制御部１２０は、第１機能が発揮された後に第２機能を発揮する。
【００４０】
第３機能とは、図７に示すように、第１閉塞手段９０によって動脈側回路３０を閉塞し、第２閉塞手段９２によって静脈側回路４０を開放し、第３閉塞手段９４によって分岐回路６０を閉塞し、さらに第４閉塞手段９６を制御して透析液排出チューブ８２を閉塞した状態で、透析液流路２０に供給された透析液が透析膜１２によって逆ろ過される圧力で、透析液流路２０に透析液を供給する機能である。透析装置１００の主制御部１２０は、第２機能が発揮された後に第３機能を発揮する。
【００４１】
第４機能とは、図４に示すように、第１閉塞手段９０によって動脈側回路３０を閉塞し、第２閉塞手段９２によって静脈側回路４０を閉塞し、第３閉塞手段９４によって分岐回路６０を閉塞し、さらに第４閉塞手段９６を制御して透析液排出チューブ８２を開放した状態で、透析液流路２０に供給された透析液が透析膜１２によって逆ろ過される圧力で、透析液流路２０に透析液を供給する機能である。透析装置１００の主制御部１２０は、第１〜第３機能が発揮される前に第４機能を発揮する。
【００４２】
次に、上記した透析システム１をプライミング処理するためのプライミング方法（実施形態に係る透析システムのプライミング方法）について、上述の図４〜図７及び図８を用いて詳細に説明する。
図８は、実施形態に係る透析システムのプライミング方法を説明するために示すフローチャートである。
【００４３】
実施形態に係る透析システムのプライミング方法は、図８に示すように、透析器プライミング工程Ｓ１と、動脈側回路プライミング工程Ｓ２と、透析液貯留工程Ｓ３と、静脈側回路プライミング工程Ｓ４とをこの順序で含む方法である。以下、これら各工程を順に説明する。
【００４４】
１．透析器プライミング工程Ｓ１
まず、図４に示すように、第１閉塞手段９０によって動脈側回路３０を閉塞し、第２閉塞手段９２によって静脈側回路４０を閉塞し、第３閉塞手段９４によって分岐回路６０を閉塞し、さらに第４閉塞手段９６によって透析液排出チューブ８２を開放した状態で、透析液流路２０に供給された透析液を透析膜１２によって逆ろ過し、血液流路１４をプライミング処理する。
【００４５】
２．動脈側回路プライミング工程Ｓ２
次に、図５に示すように、第１閉塞手段９０によって動脈側回路３０を開放し、第２閉塞手段９２によって静脈側回路４０を閉塞し、第３閉塞手段９４によって分岐回路６０を閉塞し、さらに第４閉塞手段９６によって透析液排出チューブ８２を閉塞した状態で、透析液流路２０に供給された透析液を透析膜１２によって逆ろ過し、血液流路１４を経由させて動脈側回路３０に送液する。
【００４６】
３．透析液貯留工程Ｓ３
次に、図６に示すように、第１閉塞手段９０によって動脈側回路３０を閉塞し、第２閉塞手段９２によって静脈側回路４０を閉塞し、第３閉塞手段９４によって分岐回路６０を開放し、さらに第４閉塞手段９６によって透析液排出チューブ８２を閉塞した状態で、透析液流路２０に供給された透析液を透析膜１２によって逆ろ過し、血液流路１４、動脈側回路３０及び分岐回路６０を経由させて透析液貯留容器７０に貯留させる。
透析液貯留容器７０に貯留された透析液は、例えば返血処理時に用いたり透析時の補液として用いたりする。
【００４７】
４．静脈側回路プライミング工程Ｓ４
そして、図７に示すように、第１閉塞手段９０によって動脈側回路３０を閉塞し、第２閉塞手段９２によって静脈側回路４０を開放し、第３閉塞手段９４によって分岐回路６０を閉塞し、さらに第４閉塞手段９６によって透析液排出チューブ８２を閉塞した状態で、透析液流路２０に供給された透析液を透析膜１２によって逆ろ過し、血液流路１４を経由させて静脈側回路４０に送液する。
【００４８】
以上の工程を含む実施形態に係る透析システムのプライミング方法によれば、動脈側回路プライミング工程Ｓ２において、静脈側回路４０の一部と分岐回路６０の一部を閉塞した状態で、透析膜１２で逆ろ過した透析液を動脈側回路３０に送液しているため、動脈側回路３０を確実にプライミングすることが可能となる。
また、動脈側回路プライミング工程Ｓ２を行った後に透析液貯留工程Ｓ３を行うこととしているため、プライミング処理済の動脈側回路３０の一部を経由させて、透析膜１２で逆ろ過した透析液を透析液貯留容器７０に貯留させることが可能となる。
また、静脈側回路プライミング工程Ｓ４において、動脈側回路３０の一部と分岐回路６０の一部を閉塞した状態で、透析膜１２で逆ろ過した透析液を静脈側回路４０に送液している。つまり、透析液貯留容器７０に貯留された透析液を用いるのではなく、透析膜１２で逆ろ過した透析液をそのまま静脈側回路４０のプライミング液として用いているため、今まで静脈側回路をプライミングするために透析液貯留容器に貯留しなければならなかった分の透析液を貯留しなくても済むようになり、結果として、透析液貯留容器７０の容量を従来よりも小さく（例えば３００ｍＬ〜５００ｍＬ程度）することが可能となる。
したがって、実施形態に係る透析システムのプライミング方法は、透析システムに用いる透析液貯留容器の容量を従来よりも小さくすることが可能な方法となる。
【００４９】
実施形態に係る透析システムのプライミング方法においては、動脈側回路プライミング工程Ｓ２、透析液貯留工程Ｓ３及び静脈側回路プライミング工程Ｓ４のいずれを行うよりも前に、上記した透析器プライミング工程Ｓ１を行うこととしているため、透析器１０をより確実にプライミング処理することが可能となる。
【００５０】
実施形態に係る透析装置１００によれば、上記した第１機能を有するため、動脈側回路３０を確実にプライミングすることが可能となる。
また、上記した第２機能を有するため、プライミング処理済の動脈側回路３０の一部を経由させて、透析膜１２で逆ろ過した透析液を透析液貯留容器７０に貯留させることが可能となる。
また、上記した第３機能を有するため、上記した透析システムのプライミング方法の場合と同様の理由により、透析液貯留容器７０の容量を従来よりも小さくすることが可能となる。
したがって、実施形態に係る透析装置１００は、透析システム１に用いる透析液貯留容器７０の容量を従来よりも小さくすることが可能な透析装置となる。
【００５１】
実施形態に係る透析装置１００においては、上記した第４機能をさらに有するため、透析器１０をより確実にプライミング処理することが可能となる。
【００５２】
以上、本発明の透析システムのプライミング方法及び透析装置を上記の実施形態に基づいて説明したが、本発明は上記の実施形態に限定されるものではなく、その要旨を逸脱しない範囲において種々の態様において実施することが可能であり、例えば次のような変形も可能である。
【００５３】
（１）上記実施形態に係る透析システムのプライミング方法においては、透析液貯留工程Ｓ３を行った後に静脈側回路プライミング工程Ｓ４を行う場合を例示して説明したが、本発明はこれに限定されるものではない。
図９は、変形例１に係る透析システムのプライミング方法を説明するために示すフローチャートである。
図１０は、変形例２に係る透析システムのプライミング方法を説明するために示すフローチャートである。
例えば、図９に示すように、動脈側回路プライミング工程Ｓ２３を行う前に静脈側回路プライミング工程Ｓ２２を行ってもよいし、図１０に示すように、動脈側回路プライミング工程Ｓ３２を行ってから透析液貯留工程Ｓ３４を行うまでの間に静脈側回路プライミング工程Ｓ３３を行ってもよい。
実施形態に係る透析装置１００についても、上記の透析システムのプライミング方法における変形例１及び２の場合と同様に、上記した第３機能は、第１機能が発揮される前に発揮されるものであってもよいし、第１機能が発揮されてから第２機能が発揮されるまでの間に発揮されるものであってもよい。
【００５４】
（２）上記実施形態においては、動脈側回路プライミング工程Ｓ２を行う前に透析器プライミング工程Ｓ１を行う場合を例示して説明したが、本発明はこれに限定されるものではない。動脈側回路プライミング工程（又は静脈側回路プライミング工程）を行うことで透析器についても充分なプライミング処理が実施されるのであれば、透析器プライミング工程を行わなくてもよい。透析装置についても同様に、第１機能（又は第３機能）が発揮されることで透析器についても充分なプライミング処理が実施されるのであれば、透析装置（主制御部）は第４機能を有していなくてもよい。
【００５５】
（３）上記実施形態に係る透析システムのプライミング方法においては、第１〜第４閉塞手段として、電動のクランプ部材からなる第１〜第４閉塞手段９０〜９６を例示して説明したが、本発明はこれに限定されるものではない。第１〜第４閉塞手段として、例えば鉗子などの他の閉塞手段を用いた場合であっても、本発明の透析システムのプライミング方法の発明の範囲に含まれることは勿論である。
【符号の説明】
【００５６】
１，９  透析システム
１０，９１０  透析器
１１  ハウジング部
１２，９１２  透析膜
１４，９１４  血液流路
１６，９１６  血液流入部
１８，９１８  血液流出部
２０，９２０  透析液流路
２２，９２２  透析液流入部
２４，９２４  透析液流出部
３０，９３０  動脈側回路
３２，９３２  （動脈側回路の）エアトラップ
３４，９３４  ローリングチューブ部
４０，９４０  静脈側回路
４２，９４２  （静脈側回路の）エアトラップ
４４  静脈圧センサ
４６  気泡検知器
５０  血液ポンプ
６０，９６０  分岐回路
７０，９７０  透析液貯留容器
８０，９８０  透析液導入チューブ
８２，９８２  透析液排出チューブ
９０  第１閉塞手段
９２  第２閉塞手段
９４  第３閉塞手段
９６  第４閉塞手段
１００，９００  透析装置
１０２  電源部
１０４  操作部
１０６  表示部
１０８  記憶部
１１０  ヒータ
１１２  ヒータ制御部
１１４  ポンプ駆動制御部
１１６  閉塞手段制御部
１２０  主制御部
９９０，９９２，９９６  鉗子
【図１】
2011182992.tif 000003
【図２】
2011182992.tif 000004
【図３】
2011182992.tif 000005
【図８】
2011182992.tif 000006
【図９】
2011182992.tif 000007
【図１０】
2011182992.tif 000008
【図１１】
2011182992.tif 000009
【図４】
2011182992.tif 000010
【図５】
2011182992.tif 000011
【図６】
2011182992.tif 000012
【図７】
2011182992.tif 000013